(57)【特許請求の範囲】
【請求項１】
遊技機の左右に設けた駆動装置により遊技機の一方の側から他方の側に移動される移動装飾体であって、多数の連結部材と両端の先頭部材とからなり、長さが左右の駆動装置に同時に係合する長さであって、前記連結部材は移動装飾体伸直用の平坦面と、移動装飾体屈曲用の円弧部と、駆動装置との係合部とを有しており、移動中は真っ直ぐに伸長されるとともに、移動完了後は上向きに屈曲されることを特徴とする遊技機の移動装飾体。
【請求項２】
係合部を円柱面を有するものとして、この円柱面に駆動装置のスプロケットを噛合させて、移動装飾体を移動させるようにした請求項１に記載の遊技機の移動装飾体。
【請求項３】
先頭部材の先端を先細りに形成して、収容室の出入り口への飛び込みを容易にしたことを特徴とする請求項１又は２に記載の遊技機の移動装飾体。
【請求項４】
先頭部材を重量なものとして、移動装飾体が移動中に上向きに反り返るのを防止した請求項３に記載の遊技機の移動装飾装置に用いる移動装飾体。
【発明の詳細な説明】
【技術分野】
【０００１】
本発明は、遊技機の前扉やセンター役物を装飾するための移動装飾装置に用いられる移動装飾体に関するものである。
【背景技術】
【０００２】
パチンコ機の遊技領域の中央には、液晶等の表示画面の周囲を覆うセンター役物が配設され、このセンター役物に、遊技の興趣を盛り上げるための移動装飾装置を配設したものがある。従来の移動装飾装置として、例えば特許文献１に開示されたものが知られている。特許文献１に記載されたものは、湾曲状態で収容室内に収容された長尺の移動装飾体が、大当たりなどの特別遊技状態になったときに伸長されながら出入り口から突出される構成になっている。
【０００３】
しかしながら、この移動装飾体は、その一端が収容室の内部の作動アームに固定されていて、移動装飾体が常に同じ出入り口から進出、後退するだけであるので、斬新さに欠け遊技の盛り上げ効果において十分満足できるものではなかった。  
【先行技術文献】
【特許文献】
【０００４】
【特許文献１】特開２００３−７９８２８号公報
【発明の概要】
【発明が解決しようとする課題】
【０００５】
本発明は、上記した従来の問題点に鑑み、従来にない特別な態様で演出して遊技の興趣を盛り上げることができる遊技機の移動装飾体を提供することを課題とする。
【課題を解決するための手段】
【０００６】
上記の課題を解決するためになされた本発明に係る遊技機の移動装飾体は、遊技機の左右に設けた駆動装置により遊技機の一方の側から他方の側に移動される移動装飾体であって、多数の連結部材と両端の先頭部材とからなり、長さが左右の駆動装置に同時に係合する長さであって、前記連結部材は移動装飾体伸直用の平坦面と、移動装飾体屈曲用の円弧部と、駆動装置との係合部とを有しており、移動中は真っ直ぐに伸長されるとともに、移動完了後は上向きに屈曲されることを特徴とするものである。なお、本明細書において、「移動」とは、特に、一方の側に駆動手段と係合し他方の側の駆動手段と係合していない移動装飾体が、一方の側の駆動手段との係合が解除され他方の側の駆動手段と係合する状態に移行することをいう。
【０００７】
上記した発明において、係合部を円柱面を有するものとして、この円柱面に駆動装置のスプロケットを噛合させて、移動装飾体を移動させることができる。また、先頭部材の先端を先細りに形成して、収容室の出入り口への飛び込みを容易にすることができるし、先頭部材を重量なものとして、移動装飾体が移動中に上向きに反り返るのを防止することができる。
【発明の効果】
【０００８】
本発明の移動装飾体は、多数の連結部材と両端の先端部材とからなり、左右の駆動装置に同時に係合する長さとしたので、駆動装置を駆動することにより遊技機の一方の側から他方の側に移動することができるので、従来にない装飾態様でもって遊技の興趣を盛り上げることができる。また、連結部材を、移動装飾体伸直用の平坦面と、移動装飾体屈曲用の円弧部と、駆動装置との係合部とを有するものとしたので、他の連結部材と平坦面同士を当接させることによって、移動装飾体を真っ直ぐに伸長させて、移送通路のない開放空間を移動させることができ、移動完了後は円弧部を他の連結部材の平坦面を摺動させることによって上向きに屈曲して折り畳むことができる。
【図面の簡単な説明】
【０００９】
【図１】移動装飾体が収容室に収容された移動装飾装置の正面図である。
【図２】移動装飾装置の背面の斜視図である。
【図３】収容室に収容された移動装飾体の拡大図である。
【図４】伸長された移動装飾体の斜視図である。
【図５】連結部材の（ａ）斜視図、（ｂ）正面図、（ｃ）平面図、（ｄ）斜視図である。
【図６】一方の先頭部材の（ａ）斜視図、（ｂ）平面図、（ｃ）側面図である。
【図７】他方の先頭部材の（ａ）斜視図、（ｂ）平面図、（ｃ）側面図である。
【図８】移動装飾体が移動初期である移動装飾装置の正面図である。
【図９】移動装飾体が移動途中である移動装飾装置の正面図である。
【図１０】移動装飾体が移動後期である移動装飾装置の正面図である。
【図１１】移動装飾体が移動完了した移動装飾装置の正面図である。
【図１２】移動装飾装置内を一方向に巡回する移動装飾体を示す正面図である。
【発明を実施するための形態】
【００１０】
以下に、本発明の実施形態に付いて説明する。
図１−３は、移動装飾装置を示す図であって、この移動装飾装置は遊技機の前扉やセンター役物に配設することができる。図において１は枠体であって、中央の窓１１には、例えば役物の表示画面が嵌め込まれる。枠体１の左右には、対向して移動装飾体の収容室２が配置されている。３は移動装飾体、４は移動装飾体３の駆動装置である。
【００１１】
収容室２には、渦巻き状の収容通路２１と、出入り口２２とが設けられている。出入り口２２は収納通路２１よりも先が広く拡口されていて収納通路２１と滑らかに接続されている。また、収納通路２１には段差がなく滑らかに形成されている。この収容通路２１に移動装飾体３が渦巻状に屈曲されて収容されている。駆動装置４はスプロケット４１を備えており、このスプロケット４１が出入り口２２の近傍に配設されている。スプロケット４１の外周の凹部４２が移動装飾体３と係合して、移動装飾体３を移動させる。このように、移動装飾体３は駆動手段４と係合、非係合となることが可能である。
【００１２】
移動装飾体３の構造を図４〜７により説明する。移動装飾体３は、チェーン構造のものであって、多数の連結部材５と両端の先頭部材６、７とからなる（図４）。連結部材５は、スプロケット４１が噛み込まれる係合部５１と、係合部５１から一方に延出する外側プレート５２と、その反対に延出する内側プレート５３とを有する（図５）。係合部５１は、上部が円柱面５１１に丸く形成されており、この円柱面５１１にスプロケット４１の凹部４２が噛み込まれる。また、係合部５１は左右に側面５４を有し、この側面５４の一側には垂直な平坦面５４１と、その上方の円弧部５４２とが形成されている。また、側面５４、５４の間で円柱面５１１の下方には、垂直壁面（平坦面）５１２が形成されている。
【００１３】
内側プレート５３の外側には突起５３１が設けられているうえに、一側に垂直な平坦面５３２と、上方の円弧部５３３とが形成されている。外側プレート５２には、前記突起５３１が嵌め込まれる孔部５２１が設けられ、また一側に垂直な平坦面５２２を有している。平坦面５２２の上方には円弧部５２４が形成されている。
【００１４】
図６に示す一方の先頭部材６は、外側プレート５２に代えて四角錐形状に形成した頭部６１を有する。他の構造は、連結部材５と同様である。また、図７に示す他方の先頭部材７は、内側プレート５２に代えて四角錐形状に形成した頭部７１を有する。他の構造は、連結部材５と同様である。頭部６１、７１は、収容室２の出入り口２２への飛び込みを容易とするために先細りに形成されている。
【００１５】
連結部材５は、内側プレート５３の突起５３１を外側プレート５２の孔部５２１に嵌め込むことにより、図４のように鎖状に連結することができる。そして、収容室２から移動装飾体３を引き出した図８に示す状態では、外側プレート５２の平坦面５２２が、隣の連結部材５の平坦面５４１に当接し、内側プレート５３の平坦面５３２が隣の連結部材５の垂直壁面５１２に当接されているので、移動装飾体３は下向きに曲がることはできず、真っ直ぐに伸長された直線状態が維持される。なお、移動中に先端が上方に湾曲すると収容室２の出入り口２２から先頭部材６又は７が位置ずれして、飛び込みが不可能になるので、上方に反り返るのを防止するために、先頭部材６、７を重量なものとするのが望ましい。あるいは、先頭部材６、７に錘を取り付けるのが望ましい。
【００１６】
一方、外側プレート５２の平坦面５２２の上方には円弧部５２４が形成され、内側プレート５３の平坦面５３２の上方には円弧部５３３が形成されているので、円弧部５２４が前方の連結部材５の平坦面５４１を摺動し、円弧部５３３が後方の連結部材５の垂直壁面５１２を摺動して、移動装飾体３は上方には曲がることができる。したがって、図３のように移動装飾体３を渦巻き状に捲回させることができる。なお、移動装飾体３は内側プレート５３が外側プレート５２により挟み付けられているので、遊技機の前後方向には曲がることはできない。
【００１７】
以上に述べたように、長尺な移動装飾体３は、多関節からなるものであって、屈曲可能方向と屈曲不可能方向を有する。遊技機の左右に移動する場合には非屈曲方向が下側となって伸長された状態で移動する。また、長さは、一方の駆動装置と他方の駆動装置に同時に係合可能な長さである。
【００１８】
移動装飾体３、収納室２の材質は樹脂であり、その中でも特に摺動性のよい材質のもの、例えば、ポリアセタール（ＰＯＭ）、ポリアミド（ＰＡ）、ナイロン（Ｎｙ）、ポリテトラフルオロエチレン（ＰＴＦＥ）等のフッ素樹脂等を用いることができる。なお、移動装飾体３と収納室２とは、摺動性の観点から別材質のものとするのが望ましい。
【００１９】
以上のように構成されたものにおいて、通常の遊技状態では移動装飾体３は、図１に示すように、一方の収容室２に収容されている。そして、大当たりなどの特別遊技状態になったときには、駆動装置４を作動させればスプロケット４１が回転されて移動装飾体３は引き出される（図８）。さらに移動装飾体３が引き出されると、図９のように移動装飾体３の先端が他方の収容室２の出入り口２２に飛び込む。他方の収容室２の駆動装置４も作動されているので、移動装飾体３は、図１０の状態を経て、図１１のごとく渦巻状に捲回されて他方の収容室２に収容される。一旦収容された後、駆動装置４を逆転させれば、今度は、元の収容室２に移動装飾体３を移動させることができる。よって、移動装飾体３を例えば表示画面の前を往復移動させて、遊技の興趣を大幅に盛り上げることができる。
【００２０】
なお、図１２に示すように、収容室３に、出入り口２２に連通して水平から垂直方向に湾曲する収容通路２１を設け、枠体１の上部には左右の収容室２の収容通路２１をつなぐ連絡ガイド２３を設けることによって、移動装飾体３を、例えば時計回りの一方向に巡回させることができる。駆動装置４を逆転させることにより、その巡回方向を逆転させることができる。
【符号の説明】
【００２１】
３  移動装飾体、５  連結部材、６、７  先頭部材、５１  係合部、
【図１】
0005463466.tif 000002
【図２】
0005463466.tif 000003
【図３】
0005463466.tif 000004
【図４】
0005463466.tif 000005
【図５】
0005463466.tif 000006
【図６】
0005463466.tif 000007
【図７】
0005463466.tif 000008
【図８】
0005463466.tif 000009
【図９】
0005463466.tif 000010
【図１０】
0005463466.tif 000011
【図１１】
0005463466.tif 000012
【図１２】
0005463466.tif 000013